(57)【要約】【課題】帯電微粒子液によって新型インフルエンザウイルスであるSwine-origin influenza A(H１N１)pdmウイルスの抑制を図る。【解決手段】水を静電霧化させて生成したラジカルを含むナノメータサイズの帯電微粒子液を生成し、新型インフルエンザウイルスであるSwine-origin influenza A(H１N１)pdmウイルスに対して暴露させ、当該Swine-origininfluenza A(H１N１)pdmウイルスを抑制する。【選択図】        図１
2011062308.tif 000002
【特許請求の範囲】
【請求項１】
Swine-origininfluenza A(H１N１)pdmウイルスに対して、ラジカルを含むナノメータサイズの帯電微粒子水を暴露させることにより、当該Swine-origin influenza A(H１N１)pdmウイルスを抑制する方法。
【発明の詳細な説明】
【技術分野】
【０００１】
本発明は、静電霧化技術を用いて帯電微粒子液を生成し、ウイルス等に暴露する感染管理技術に関するものでる。
【背景技術】
【０００２】
２００９年４月にメキシコで発生した新型インフルエンザ（Swine-origin influenza A(H１N１)pdm）は、日々、その感染者を拡大し、大きな社会問題となってきている。
【０００３】
これに対し、イオン発生機や薬品を用いてウイルスを抑制する感染対策が注目されている。
【０００４】
本願の出願人は、２００３年に、静電霧化技術を用いて帯電微粒子液を生成し、当該帯電微粒子液が、除菌の他、ウイルス抑制に効果があることを検証し、特許出願（特許文献１、特許文献２）をおこなっている。特に、特許文献２においては、インフルエンザ等のウイルス抑制にも効果があることを開示した。
【先行技術文献】
【特許文献】
【０００５】
【特許文献１】特開２００５−６６５８６号公報
【特許文献２】特開２００８−１８４３２２号公報
【発明の概要】
【発明が解決しようとする課題】
【０００６】
しかしながら、新型インフルエンザウイルスであるSwine-origin influenza A(H１N１)pdmウイルスについて、効果があることを明示した文献等は知られていない。
【０００７】
本願は、上記問題点に鑑みて発明したものであり、その目的とするところは、帯電微粒子液によって新型インフルエンザウイルスであるSwine-origin influenza A(H１N１)pdmウイルスの抑制を図ることにある。
【課題を解決するための手段】
【０００８】
上記課題を解決するために、本発明は、水を静電霧化させて生成したラジカルを含むナノメータサイズの帯電微粒子液を生成し、新型インフルエンザウイルスであるSwine-origin influenza A(H１N１)pdmウイルスに対して暴露させ、当該Swine-origininfluenza A(H１N１)pdmウイルスを抑制する。
【発明の効果】
【０００９】
本発明は、Swine-origin influenza A(H１N１)pdmウイルスに対して暴露させ、当該Swine-origininfluenza A(H１N１)pdmウイルスの９９％が抑制され、当該Swine-origininfluenza A(H１N１)pdmウイルスの感染防止に顕著な効果を奏する。
【図面の簡単な説明】
【００１０】
【図１】本発明に用いる静電霧化装置の一実施形態の断面図である。
【図２】（ａ）（ｂ）は同上の対向電極の実施形態を示す作用説明図である。
【図３】本発明のSwine-origin influenza A(H１N１)pdmウイルスの抑制の実施例に用いた静電霧化装置の具体例を示す説明図である。
【図４】ラジカルを含むナノメータサイズの帯電微粒子液をSwine-origin influenza A(H１N１)pdmに暴露する場合と、非暴露の場合とのウイルス力価を示すグラフである。
【発明を実施するための形態】
【００１１】
以下、本発明を添付図面に示す実施形態に基づいて説明する。
【００１２】
図１にはラジカルを含むナノメータサイズの帯電微粒子液を生成するための静電霧化装置１の一例が示してある。
【００１３】
静電霧化装置４は、棒状の放電電極１と、この放電電極１の先端１ａから距離を隔てて位置すると共に放出孔５ａを中央に有する対向電極５と、この放電電極１の先端に水等の静電霧化用の液体（図示せず）を供給する液体供給手段２と、放電電極１及び対向電極５に電気的に接続されて放電電極１と対向電極５間に高電圧を印加する高電圧印加手段３とを備えている。
【００１４】
放電電極１に液を供給する液体供給手段２としては、例えば、空気中の水分を冷却することで生成した結露水を放電電極１に供給したり、あるいは、液溜め部に溜めた液を毛細管現象、あるいは加圧手段、あるいは、重力等を利用して放電電極１の先端に供給する等が考えられる。
【００１５】
実施形態では液体供給手段３を、空気中の水分を冷却することで生成した結露水を放電電極１に供給する場合の一例が示してある。以下液体を水、帯電微粒子液を帯電微粒子水の例として説明する。
【００１６】
添付図面に示す実施形態においてはペルチェユニット８のような熱交換器の冷却部８ａにアルミニウム等の熱伝導率の高い材料で形成する放電電極１の基端部１ｂが接続してあり、これによりペルチェユニット８の冷却部８ａにより放電電極１を冷却し、これにより空気中の水分を冷却して結露水を生成することで放電電極１に水を供給するようになっている。
【００１７】
放電電極１の先端１ａに対向する対向電極５ｂは、放電電極１の先端１ａを中心とする所定の曲率半径Ｒを有している。放電電極１ａの先端１ａを通過する平面でこの内曲面５ｂを切断した断面は、放電電極１の先端を中心とする半径Ｒの円弧状となっている。したがって、この内曲面５ｂ全体と放電電極１の先端１ａとの間には、三次元的に広い範囲で強力な磁界が生じる（図２（ａ）中の矢印参照）。
【００１８】
更に、対向電極５に円形に開口する放出孔５ａの周縁には、放電電極１から離れる方向（図中上方）に円筒形の筒状電極部７を延設している。筒状電極部７は、放出孔５ａに連通する開口を一端（図中下側）に有し、外部空間に連通する吐出口７ａを他端（図中上側）に有する。筒状電極部７が備えられることで、筒状電極部７の内面７ｂ全体と放電電極１の先端１ａとの間においても電界が生じるので、筒状電極部７が備えられない場合よりも広い範囲で強力な電界が生じる（図２（ｂ）中の矢印参照）。
【００１９】
筒部電極部７を有する対向電極５は、例えばＳＵＳ３０４等の金属からなる導電性物質を切削、曲げ加工等して一体に形成したものであるが、樹脂成形後に金属メッキを施して形成してもよいし、あるいは導電性プラスチック等の導電性物質を用いてもよい。
【００２０】
上記構成の静電霧化装置４においては水供給手段２により放電電極１の先端１ａ側がマイナス電極となって電荷が集中するように放電電極１と対向電極５との間に高電圧を印加する。電圧の印加によって生じた電界により、放電電極１の先端に保持された水が帯電し、帯電した水にクーロン力が働き、水の液面が局所的に盛り上げる。
【００２１】
この円錐状となった水（テイラーコーン）の先端に電荷が集中して電荷の密度が高密度となり、高密度の電化の反発力で弾けるようにして水が分裂、飛散（いわゆるレイリー分裂）を繰り返して静電霧化を生じる。静電霧化現象により、ラジカル（活性種）を含むナノメータサイズの帯電微粒子水が大量に生成され、イオン風に乗って放出孔５ａから装置外へと放出される。
【００２２】
ここで、筒状電極部７を有する対向電極５と放電電極１の先端１ａとの間における広範な領域内で、非常に強力な電界が生じる。したがって、放電電極１の先端１ａに電界が一極集中する度合いが非常に高くなり、放電電極１に保存する水に効率的に電荷が集中して、帯電微粒液を大量に発生する。
【００２３】
加えて、大量に発生した帯電微粒子水は、放出孔５ａから延設される筒状電極部７の内周面７ｂに引き寄せられるように放出孔５ａ内に導入され、そのままイオン風に乗って筒状電極部７内を通過し、吐出口７ａから外部空間に向けて吐出される。
【００２４】
つまり、対向電極５に更に筒状電極部７を延設してあることで、放電電極１の先端１ａに対して電界を強力に一極集中させ、ラジカルを含むナノメータサイズの帯電微粒子水を大量生成できると共に、この大量生成した帯電微粒子水を、対向電極５の内曲面５ｂに付着させることなく放出孔５ａを通じて高効率で外部に放出することができる。結果として、ラジカルを含むナノメータサイズの帯電微粒子水が、外部空間に大量に放出される。
【００２５】
上記実施形態では、対向電極５を設けた例を示したが、本発明に用いる静電霧化装置４としては、対向電極５を設けることなく、放電電極１の先端部１ａに供給された液体（水）に高電圧を印加することで、静電霧化をしてラジカルを含むナノメータサイズの帯電微粒子液（水）を生成するようにしたものを用いてもよい。
【００２６】
本発明は、上記のようなラジカルを含むナノメータサイズの帯電微粒子液（水）を、新型インフルエンザであるSwine-origin influenza A(H１N１)pdmウイルスに対して暴露させ、当該Swine-origininfluenza A(H１N１)pdmウイルスを抑制することである。
【００２７】
以下、実施例に基づいて説明する。
【実施例】
【００２８】
（実施例）
ボックス（３００ｍｍ×３５０ｍｍ×４００ｍｍからなる内容積約４５リットル）内に、直径６ｃｍのシャーレを置き、ボックス内において上記シャーレの直上に静電霧化装置４の放出口が位置してラジカルを含むナノメータサイズの帯電微粒子液（水）が暴露されるように、静電霧化装置４をボックスに配置した。ボックス内は温度２５℃、湿度４０％の環境とした。
【００２９】
実施例で用いた静電霧化装置４としては図１に示すようなものを用いた。この図１に示す静電霧化装置４において、主要構成部及び主要構成部相互の具体的寸法関係は、図３に示すように、対向電極５の筒状電極部７の内径Ｄを５．０ｍｍ、筒状電極部７の軸方向の高さＨを１．５ｍｍ、対向電極５の内曲面５ｂの放電電極１側に開口する開口部５ｃ部分から筒状電極部７の放出口７ａまでの高さＬを４．０ｍｍ、放電電極１の先端１ａから対向電極５の内曲面５ｂまでの距離Ｒを５．０ｍｍ、放電電極１の軸方向での対向電極５の下端５ｃと放電電極１の先端１ａ間の距離Ｌを２．２５ｍｍとした。また、印加電圧−５ｋＶ、電流６μＡとした。そして、この実施例に用いた静電霧化装置４においては、上記の条件で、帯電微粒子水が１秒間に１×１０１４個以上発生する。
【００３０】
シャーレには、発育鶏卵の尿膜腔内で、新型インフルエンザウイルスであるSwine-origin influenza A(H１N１)pdmウイルスを増殖させ、得られた尿腔液（ウイルス原液）を超純水で１０倍希釈して実験用ウイルス液を得た。このようにして得た実験用ウイルス液をシャーレに２ミリリットル注入した。このようにして得た実験用ウイルスにおけるウイルスの力値は、およそ１０の５．５乗であった。上記のようにして得た実験用ウイルス液を２ミリリットル注入したシャーレを、上記ボックス内の静電霧化装置４の放出口５ａの直下に配置し、静電霧化装置４を６時間連続運転してラジカルを含むナノメータサイズの帯電微粒子水を放出し続け、６時間帯電微粒子水をシャーレ内の実験用ウイルス液に暴露した。
【００３１】
６時間の暴露した後、シャーレをボックスから取出し、帯電微粒子水に暴露後のウイルス液を回収し、１０倍段階希釈して発育鶏卵に接種した。その後、３日目に観察された赤血球凝集反応を基にウイルス力値（５０％発育鶏卵感染量；ＥＩＤ５０／０．１ｍｌ）を算出したところ、ウイルス力価は、図４に示すように１０の３．５乗となっており、当該ウイルスが９９％抑制されることが判明した。
（比較例）
上記実施例に用いたボックスと同じボックス内に、実施例と同様にして得た実験用ウイルス液（ウイルスの力値が、およそ１０の５．５乗）を２ミリリットル注入したシャーレを入れ、静電霧化装置４を運転することなく、帯電微粒子水の非暴露状態で６時間放置した。このように非暴露状態で６時間経過後、シャーレをボックスから取出し、ウイルス液を回収し、１０倍段階希釈して発育鶏卵に接種した。その後、３日目に観察された赤血球凝集反応を基にウイルス力値（５０％発育鶏卵感染量；ＥＩＤ５０／０．１ｍｌ）を算出したところ、ウイルス力価は、図４に示すように１０の５．５乗のままであった。
【００３２】
上記実施例、比較例から明らかなように、ラジカルを含むナノメータサイズの帯電微粒子液を、新型インフルエンザウイルスであるSwine-origin influenza A(H１N１)pdmウイルスに暴露することでSwine-origininfluenza A(H１N１)pdmウイルスの抑制効果があることが判明した。
【符号の説明】
【００３３】
１  放電電極
２  液体供給手段
３  高電圧印加手段
４  静電霧化装置
【図１】
2011062308.tif 000003
【図２】
2011062308.tif 000004
【図３】
2011062308.tif 000005
【図４】
2011062308.tif 000006